(57)【要約】【課題】  戻湯配管の円滑な流れを保つため、給湯配管の故障や戻湯配管のつまりなどで戻湯配管内の圧力が高くなった場合、戻湯が浴槽へ逆流できないようにした浴槽湯口装置を提供する。【解決手段】  給湯通路及び戻湯通路の金具３０の給湯通路３１に連通するフランジ付き雄ねじ筒２０内の第１湯管１４の前端に接続する第１筒１１であって、筒先端出口１１１に開閉弁１３（１）を備えると共に、筒側面に第１流通口１１０を形成したものを設け、金具３０の戻湯通路３２に連通する雄ねじ筒２０の内筒２５及び第２湯管１５の前端に接続する第２筒１２であって、筒先端出口１２１に開閉弁１３（２）を備えると共に、筒側面に第２流通口１２０を形成したものを設け、流通口１１０又は１２０に嵌合するシート逆止弁１４０を設けたもの。【選択図】    図１
2012057825.tif 000002
【特許請求の範囲】
【請求項１】
金網ストレーナ４０、前記金網ストレーナ４０内に収納される湯口１０、前記湯口１０に接続されるフランジ付き雄ねじ筒２０、前記フランジ付き雄ねじ筒２０に接続される給湯通路及び戻湯通路の金具３０、前記給湯通路及び戻湯通路の金具３０に連結する給湯配管及び戻湯配管、前記給湯配管及び戻湯配管に連結する循環風呂釜装置において、前記湯口１０が、前記給湯通路及び戻湯通路の金具３０の給湯通路３１に連通する前記フランジ付き雄ねじ筒２０内の第１湯管１４の前端に接続する第１筒１１であって、筒先端出口１１１に開閉弁１３（１）を備えると共に、筒側面に第１流通口１１０を形成したものを設け、前記給湯通路及び戻湯通路の金具３０の戻湯通路３２に連通する前記フランジ付き雄ねじ筒２０の内筒２５及び第２湯管１５の前端に接続する第２筒１２であって、筒先端出口１２１に開閉弁１３（２）を備えると共に、筒側面に第２流通口１２０を形成したものを設け、流通口１１０又は１２０の嵌合するシート逆止弁１４０を設け、追いだき運転時には、前記第１筒１１の出口１１１を開いて給湯し、戻湯を前記第２筒１２の出口１２１を閉じて第２流通口１２０から流入させるか、又は、前記第２筒１２の出口１２１を開いて給湯し、戻湯を前記第１筒１１の出口１１１を閉じて第１流通口１１０から流入させることにより、前記給湯通路及び戻湯通路の金具３０の接続口３１１、３２１が前記給湯配管又は前記戻湯配管のいずれにも連結できるようにすると共に、戻湯配管を接続した接続口３１１又は３２１の流通口１１０又は１２０に、シート逆止弁１４０を取り付け、戻湯配管の圧力が給湯配管の圧力より高くなったとき、シート逆止弁１４０を閉じ、戻湯通路内の戻湯が浴槽内に逆流することを防止できるようにしたことを特徴とする浴槽湯口装置。
【請求項２】
金網ストレーナ４０、前記金網ストレーナ４０内に収納される湯口１０Ｂ、前記湯口１０Ｂに接続されるフランジ付き雄ねじ筒２０、前記フランジ付き雄ねじ筒２０に接続される給湯通路及び戻湯通路の金具３０、前記給湯通路及び戻湯通路の金具３０に連結する給湯配管及び戻湯配管、前記給湯配管及び戻湯配管に連結する循環風呂釜装置において、前記湯口１０Ｂが、前記給湯通路及び戻湯通路の金具３０の給湯通路３１に連通する前記フランジ付き雄ねじ筒２０内の第１湯管１４の前端に接続する第１筒１１であって、筒側面に第１流通口１１０を形成したものを設け、前記給湯通路及び戻湯通路の金具３０の戻湯通路３２に連通する前記フランジ付き雄ねじ筒２０の内筒２５及び第２湯管１５の前端に接続する第２筒１２であって、筒側面に第２流通口１２０を形成したものを設け、前記第１筒１１の出口１１１が開いて前記第２筒１２の出口１２１を閉じるか、又は、前記第１筒１１の出口１１１を閉じて前記第２筒１２の出口１２１を開くようにしたシーソ開閉弁１３を設け、流通口１１０及び１２０に嵌合する１対のシート逆止弁１４０（１）、１４０（２）を設け、追いだき運転時には、前記第１筒１１の出口１１１を開いて前記第２筒１２の出口１２１を閉じて給湯し、戻湯を前記第２筒１２の第２流通口１２０から流入させるか、又は、前記第２筒１２の出口１２１を開いて前記第１筒１１の出口１１１を閉じて給湯し、戻湯を前記第１筒１１の第１流通口１１０から流入させることにより、前記給湯通路及び戻湯通路の金具３０の接続口３１１、３２１が前記給湯配管又は前記戻湯配管のいずれにも連結できるようにすると共に、給湯配管及び戻湯配管を接続した接続口３１１及び３２１の流通口１１０及び１２０の出口１１１及び１２１に、１対のシート逆止弁１４０（１）、１４０（２）を取り付け、戻湯配管の圧力が給湯配管の圧力より高くなったとき、シート逆止弁１４０（１）又は１４０（２）を閉じ、戻湯通路内の戻湯が浴槽内に逆流することを防止できるようにしたことを特徴とする浴槽湯口装置。
【請求項３】
シート逆止弁１４０は、前記第１流通口１１０又は第２流通口１２０の外側から挿入できる枠１４０１を設けて、枠１４０１下面にシート１４０２の一端を開閉可能に取り付けたものからなることを特徴とする請求項１又は２記載の浴槽湯口装置。
【発明の詳細な説明】
【技術分野】
【０００１】
本発明は、浴槽の湯口に設けられる給湯の吹出し及び戻湯の吸い込みを行う浴槽湯口装置に関する。
【背景技術】
【０００２】
従来、この種の浴槽湯口装置には、特開２００４−２４５４３７号公報に示されるように、金具３０の給湯通路３１及び戻湯通路３２の接続口３１１、３２１を取り付け工事の際には、給湯配管又は戻湯配管のいずれに連結しても取付工事ができるが、一旦、取付工事をした後は、給湯配管側の故障や戻湯配管のつまりなどで、戻湯配管内の圧力が万一高くなることがあった場合、戻湯配管内の戻湯が戻湯配管から浴槽へ逆流し、湯温の上昇をさまたげる、戻湯配管のゴミが流入する恐れがまれにあった。
そこで、本発明者は、万全を期すために、戻湯配管を接続した側の戻湯吸込口に、吸い込みできるが逆流を防止できるシート逆止弁を取り付けて、戻湯配管側の圧力が高くなったとき、戻湯吸込口から戻湯が浴槽内へ逆流するのを防止できることを見出し、本発明を完成させた。
【先行技術文献】
【特許文献】
【０００３】
【特許文献１】特開２００４−２４５４３７号公報
【発明の概要】
【発明が解決しようとする課題】
【０００４】
本発明は、戻湯配管の円滑な流れを保つため、給湯配管の故障や戻湯配管のつまりなどで戻湯配管内の圧力が高くなった場合、戻湯が浴槽へ逆流できないようにした浴槽湯口装置を提供するものである。
【課題を解決するための手段】
【０００５】
本発明浴槽湯口装置は、上記課題を達成するため、図示するように、
請求項１の発明は、金網ストレーナ４０、前記金網ストレーナ４０内に収納される湯口１０、前記湯口１０に接続されるフランジ付き雄ねじ筒２０、前記フランジ付き雄ねじ筒２０に接続される給湯通路及び戻湯通路の金具３０、前記給湯通路及び戻湯通路の金具３０に連結する給湯配管及び戻湯配管、前記給湯配管及び戻湯配管に連結する循環風呂釜装置において、前記湯口１０が、前記給湯通路及び戻湯通路の金具３０の給湯通路３１に連通する前記フランジ付き雄ねじ筒２０内の第１湯管１４の前端に接続する第１筒１１であって、筒先端出口１１１に開閉弁１３（１）を備えると共に、筒側面に第１流通口１１０を形成したものを設け、前記給湯通路及び戻湯通路の金具３０の戻湯通路３２に連通する前記フランジ付き雄ねじ筒２０の内筒２５及び第２湯管１５の前端に接続する第２筒１２であって、筒先端出口１２１に開閉弁１３（２）を備えると共に、筒側面に第２流通口１２０を形成したものを設け、流通口１１０又は１２０に嵌合するシート逆止弁１４０を設け、追いだき運転時には、前記第１筒１１の出口１１１を開いて給湯し、戻湯を前記第２筒１２の出口１２１を閉じて第２流通口１２０から流入させるか、又は、前記第２筒１２の出口１２１を開いて給湯し、戻湯を前記第１筒１１の出口１１１を閉じて第１流通口１１０から流入させることにより、前記給湯通路及び戻湯通路の金具３０の接続口３１１、３２１が前記給湯配管又は前記戻湯配管のいずれにも連結できるようにすると共に、戻湯配管を接続した接続口３１１又は３２１の流通口１１０又は１２０に、シート逆止弁１４０を取り付け、戻湯配管の圧力が給湯配管の圧力より高くなったとき、シート逆止弁１４０を閉じ、戻湯通路内の戻湯が浴槽内に逆流することを防止できるようにしたものである。
本発明浴槽湯口装置は、上記課題を達成するため、図示するように、
請求項２の発明は、金網ストレーナ４０、前記金網ストレーナ４０内に収納される湯口１０Ｂ、前記湯口１０Ｂに接続されるフランジ付き雄ねじ筒２０、前記フランジ付き雄ねじ筒２０に接続される給湯通路及び戻湯通路の金具３０、前記給湯通路及び戻湯通路の金具３０に連結する給湯配管及び戻湯配管、前記給湯配管及び戻湯配管に連結する循環風呂釜装置において、前記湯口１０Ｂが、前記給湯通路及び戻湯通路の金具３０の給湯通路３１に連通する前記フランジ付き雄ねじ筒２０内の第１湯管１４の前端に接続する第１筒１１であって、筒側面に第１流通口１１０を形成したものを設け、前記給湯通路及び戻湯通路の金具３０の戻湯通路３２に連通する前記フランジ付き雄ねじ筒２０の内筒２５及び第２湯管１５の前端に接続する第２筒１２であって、筒側面に第２流通口１２０を形成したものを設け、前記第１筒１１の出口１１１が開いて前記第２筒１２の出口１２１を閉じるか、又は、前記第１筒１１の出口１１１を閉じて前記第２筒１２の出口１２１を開くようにしたシーソ開閉弁１３を設け、流通口１１０及び１２０に嵌合する１対のシート逆止弁１４０（１）、１４０（２）を設け、追いだき運転時には、前記第１筒１１の出口１１１を開いて前記第２筒１２の出口１２１を閉じて給湯し、戻湯を前記第２筒１２の第２流通口１２０から流入させるか、又は、前記第２筒１２の出口１２１を開いて前記第１筒１１の出口１１１を閉じて給湯し、戻湯を前記第１筒１１の第１流通口１１０から流入させることにより、前記給湯通路及び戻湯通路の金具３０の接続口３１１、３２１が前記給湯配管又は前記戻湯配管のいずれにも連結できるようにすると共に、給湯配管及び戻湯配管を接続した接続口３１１及び３２１の流通口１１０及び１２０の出口１１１及び１２１に、１対のシート逆止弁１４０（１）、１４０（２）を取り付け、戻湯配管の圧力が給湯配管の圧力より高くなったとき、シート逆止弁１４０（１）又は１４０（２）を閉じ、戻湯通路内の戻湯が浴槽内に逆流することを防止できるようにしたものである。
本発明浴槽湯口装置は、上記課題を達成するため、図示するように、請求項３の発明は、請求項１又は２の発明において、シート逆止弁１４０は、前記第１流通口１１０又は第２流通口１２０の外側から挿入できる枠１４０１を設けて、枠１４０１下面にシート１４０２の一端を開閉可能に取り付けたものからなるものである。
本発明の原理を図１により説明すると、追だき運転時は、循環風呂釜装置（図示しない）から給湯配管（図示しない）を介して、金具３０の接続口３１１及び給湯通路３１を通じて流入した給湯は、第１湯管１４を経て第１筒１１の出口１１１から開閉弁１３（１）を開いて流出して金網ストレーナ４０の側面から浴槽内に流出する。このとき第１筒１１の筒側面に設けた第１流通口１１０からは殆ど流出しない。これに対し、浴槽内の戻湯は金網ストレーナ４０の前面及び側面からシート逆止弁１４０を開いて第２流通口１２０に流入して、開閉弁１３（２）により出口１２１が閉鎖された第２筒１２から、第２湯管１５及びフランジ付き雄ねじ筒２０の内筒２５を経て、金具３０の戻湯通路３２及び接続口３２１から戻り湯配管（図示しない）を介して循環風呂釜装置（図示しない）に流入することになる。
また、循環風呂釜装置（図示しない）から給湯配管（図示しない）を介して、金具３０の接続口３２１及び戻湯通路３２に接続した場合は、給湯は、フランジ付き雄ねじ筒２０の内筒２５から第２湯管１５を経て、第２筒１２の出口１２１から開閉弁１３（２）を開いて流出して金網ストレーナ４０の側面から浴槽内に流出する。  これに対し、浴槽内の戻湯は金網ストレーナ４０の前面及び側面からシート逆止弁１４０を開いて第１流通口１１０に流入して、開閉弁１３（１）により出口１１１が閉鎖された第１筒１１から第１湯管１４を経て、金具３０の給湯通路３１及び接続口３１１から戻湯配管（図示しない）を介して循環風呂釜装置（図示しない）に流入することになる。
すなわち、本発明では、給湯配管又は戻湯配管を、給湯通路及び戻湯通路を形成する金具３０の接続口３１１又は３２１のいずれに接続しても、常に、金網ストレーナ４０の側面から給湯が流出し、前面及び側面から戻湯が流入することになる。
本発明において、シート逆止弁１４０は、四角形のフランジ付き枠１４０１の下面にゴム、合成樹脂製のシート弁１４０２を取り付けたもので、枠１４０１は弾力性のある金属製、合成樹脂製で、金網ストレーナ４０を外して外側から、第１流通口１１０又は第２流通口１２０に嵌め込むことができ、配管取り付け工事後の戻湯配管の流通口１１０又は１２０に常時取付、又は、必要が生じた際に取付ができる。
【発明の効果】
【０００６】
本発明浴槽湯口装置は、戻湯配管の円滑な流れを保ち、戻湯配管内の圧力が高くなった場合、シート逆止弁を閉じ、戻湯が浴槽内へ逆流しないようにできる。
さらに、本発明浴槽湯口装置は、構造簡単で、安価に製作できる上、シート逆止弁は常時取付、又は、必要が生じた時取付できる。
【図面の簡単な説明】
【０００７】
【図１】本発明の全体の原理を示す説明図である。
【図２】本発明の実施例の断面を示す説明図である。
【図３】本発明の実施例の別の断面を示す説明図である。
【図４−１】本発明の原理を示す別の説明図である。
【図４−２】本発明の原理を示すさらに別の説明図である。
【図５】本発明の別の全体の原理を示す説明図である。
【図６】本発明の別の実施例の断面を示す説明図である。
【図７】本発明の別の実施例の別の断面を示す説明図である。
【図８】本発明の別の原理を示す別の説明図である。
【図９】本発明のさらに別の全体の原理を示す説明図である。
【図１０】本発明のさらに別の実施例の断面を示す説明図である。
【図１１】本発明のさらに別の実施例の別の断面を示す説明図である。
【図１２】本発明のさらに別の原理を示す別の説明図である。
【発明を実施するための形態】
【０００８】
本発明を実施するための形態が実施例１及び実施例２に示されている。
【実施例１】
【０００９】
本発明の実施例１が図１乃至図４−２に示されている。
本発明装置を含む全体装置は、図２及び図３に示すように、金網ストレーナ４０、前記金網ストレーナ４０内に収納される湯口１０、前記湯口１０に接続されるフランジ付き雄ねじ筒２０、前記フランジ付き雄ねじ筒２０に接続される給湯通路及び戻湯通路の金具３０、前記給湯通路及び戻湯通路の金具３０に連結する給湯配管及び戻湯配管（図示しない）、前記給湯配管及び戻湯配管に連結する循環風呂釜装置（図示しない）からなっている。
金網ストレーナ４０は、ステンレス板をトレイ状に成型して側面に吐出穴４１を打ち抜くと共に、前面にメッシュ窓４２を打ち抜いたもので、中心穴４３を湯口１０にビス止めして固着している。なお、ビス止めの代わりに金網ストレーナ４０を湯口１０に嵌合できるようにしてもよい。
湯口１０は、第１筒１１と第２筒１２と、第１筒１１と連通するように連設した第１湯管１４と、第２筒１２に連通するように連設すると共に、第１湯管１４の外周面に沿って設けた第２湯管１５とからなっている。第１筒１１には筒側面に第１流通口１１０を形成し、先端に出口１１１が形成され開閉弁１３（１）が設けられ、第２筒１２には筒側面に第２流通口１２０を形成し、先端に出口１２１が形成され開閉弁１３（２）が設けられ、流通口１１０又は１２０のどちらかにシート逆止弁１４０が嵌合されている。  また、第２湯管１５の外周面後端には多数の細かい山形突条１６と円周突条１７を形成している。
フランジ付き雄ねじ筒２０は、フランジ２１と、筒外周面の雄ねじ２２と、内周面２３の前端に刻設した多数の細かい山形突条２４であって前記第２湯管１５の外周面に形成した山形突条１６に外嵌して噛合するものと、円周突条２６と、浴槽湯口装置１０の第２湯管１５と連通する湯筒２５とを設けている。
給湯通路及び戻湯通路の金具３０は、第１湯管１４に外嵌して連通する内筒部３０１と、雄ねじ筒２０の雄ねじ２２に外嵌してめねじ３５で螺合し、湯筒２５と連通する外筒部３０２と、給湯配管（図示しない）に接続する給湯通路３１及び接続口３１１と戻湯配管（図示しない）に接続する戻湯通路３２及び接続口３２１とゴムパッキン３４を外嵌したフランジ部３３とを設けている。
図２及び図４−１に示すように、接続口３２１に戻湯配管が接続された場合、シート逆止弁１４０は、第２筒１２の第２流通口１２０に嵌合されている。
従って、追だき運転時には、図１、図２及び図３に示すように、循環風呂釜装置（図示しない）から給湯配管（図示しない）を、金具３０の接続口３１１に、戻湯配管（図示しない）を金具３０の接続口３２１に接続した場合、金具３０の接続口３１１及び給湯通路３１を通じて流入した給湯は、第１湯管１４を経て第１筒１１の出口１１１から、開閉弁１３（１）を開いて流出して、金網ストレーナ４０の側面から浴槽内に流出する。このとき第１筒１１の筒側面に設けた第１流通口１１０からは殆ど流出しない。また、第１湯管１４を経て第１筒１１の出口１１１から金網ストレーナ４０の側面より流出する給湯は、途中に従来のような往復動体や屈曲流路がないので大容量で流出する。浴槽内の戻湯は、金網ストレーナ４０の前面及び側面からシート逆止弁１４０を開いて、第２流通口１２０に流入して、開閉弁１３（２）により出口１２１が閉鎖された第２筒１２から、第２湯管１５及びフランジ付き雄ねじ筒２０の内筒２５を経て、金具３０の戻湯通路３２及び接続口３２１から戻り湯配管（図示しない）を介して循環風呂釜装置（図示しない）に流入し循環することになる。
なお、図４−２に示すように、給湯配管（図示しない）を、金具３０の接続口３２１に、戻湯配管（図示しない）を接続口３１１に接続した場合、シート逆止弁１４０は、第１筒１１の第１流通口１１０に嵌合され、追だき運転時の給湯は、フランジ付き雄ねじ筒２０の内筒２５から第２湯管１５を経て、第２筒１２の出口１２１から開閉弁１３（２）を開いて流出し、浴槽内の戻湯は、金網ストレーナ４０の前面及び側面からシート逆止弁１４０を開いて、第１筒１１の第１流通口１１０に流入して、開閉弁１３（１）により出口１１１が閉鎖された第１筒１１から、第１湯管１４を経て、金具３０の給湯通路３１及び接続口３１１から戻湯配管（図示しない）を介して循環風呂釜装置（図示しない）に流入し循環することになる。
本発明湯口１０をフランジ付き雄ねじ筒２０に取りつけるときは、本発明湯口１０の円周状の山形突条１６を、フランジ付き雄ねじ筒２０の山形突条２４に噛合するように嵌入して、本発明湯口１０の円周状の突条１７を雄ねじ筒２０の内周面２３の突条２６を乗り越えるように押し込めば、本発明湯口１０とフランジ付き雄ねじ筒２０とは迅速に嵌着できる。その際、本発明湯口１０は、山形突條１６と山形突條２４の噛み合いにより、フランジ付き雄ねじ筒２０とどのような方向にも噛合して嵌着し、嵌着後位置ずれすることがない。
また、シート逆止弁１４０は、弾性材料製の枠１４０１に、シート弁１４０２を取り付けたもので、第１流通口１１０又は第２流通口１２０に、嵌め外し自由で、戻湯通路側に常時取付、又は、必要が生じた時取付できる。
【実施例２】
【００１０】
本発明の実施例２が図５乃至図１２に示されている。
本発明装置を含む全体装置は、図６、図７、図１０及び図１１に示すように、金網ストレーナ４０、前記金網ストレーナ４０内に収納される浴槽湯口装置１０Ｂ、前記浴槽湯口装置１０Ｂに接続されるフランジ付き雄ねじ筒２０、前記フランジ付き雄ねじ筒２０に接続される給湯通路及び戻湯通路の金具３０、前記給湯通路及び戻湯通路の金具３０に連結する給湯配管及び戻湯配管（図示しない）、前記給湯配管及び戻湯配管に連結する循環風呂釜装置（図示しない）からなっている。
金網ストレーナ４０、フランジ付き雄ねじ筒２０、給湯通路及び戻湯通路の金具３０の構成は、本発明実施例１と同じであるので、詳細説明は省略する。
浴槽湯口装置１０Ｂは、図６及び図７に示すように、第１筒１１と第２筒１２と、第１筒１１と連通するように連設した第１湯管１４と、第２筒１２に連通するように連設すると共に、第１湯管１４の外周面に沿って設けた第２湯管１５とからなっている。第１筒１１には筒側面に第１流通口１１０を形成し、先端に出口１１１が形成され、第２筒１２には筒側面に第２流通口１２０を形成し、先端に出口１２１が形成され、
第１筒１１及び第２筒の出口１１１及び１２１にシーソ開閉弁１３が設けられると共に、流通口１１０及び１２０に１対のシート逆止弁１４０（１）、１４０（２）が嵌合されている。
従って、追だき運転時には、図５、図６、図７及び図８に示すように、循環風呂釜装置（図示しない）から給湯配管（図示しない）を介して、金具３０の接続口３１１及び給湯通路３１を通じて流入した給湯は、第１湯管１４を経て第１筒１１の出口１１１から、シーソ開閉弁１３を開いて流出して、金網ストレーナ４０の側面から浴槽内に流出する。このとき第１筒１１の筒側面に設けた第１流通口１１０からは殆ど流出しない。また、第１湯管１４を経て第１筒１１の出口１１１から金網ストレーナ４０の側面より流出する給湯は、途中に従来のような往復動体や屈曲流路がないので大容量で流出する。  浴槽内の戻湯は、金網ストレーナ４０の前面及び側面からシート逆止弁１４０（２）を開いて、第２流通口１２０に流入してシーソ開閉弁１３により出口１２１が閉鎖された第２筒１２から、第２湯管１５及びフランジ付き雄ねじ筒２０の内筒２５を経て、金具３０の戻湯通路３２及び接続口３２１から戻り湯配管（図示しない）を介して循環風呂釜装置（図示しない）に流入し循環することになる。
なお、図９、図１０、図１１及び図１２に示すように、給湯配管（図示しない）を、金具３０の接続口３２１に、戻湯配管（図示しない）金具３０の接続口３１１に接続した場合、追だき運転時の給湯は、フランジ付き雄ねじ筒２０の内筒２５から第２湯管１５を経て、第２筒１２の出口１２１からシーソ開閉弁１３を開いて流出し、金網ストレーナ４０の側面から浴槽内に前述した理由により大きな流量で流出する。このとき第２筒１２の筒側面に設けた第２流通口１２０からは殆ど流出しない。また、浴槽内の戻湯は金網ストレーナ４０の前面及び側面からシート逆止弁１４０（１）を開いて、第１流通口１１０に流入してシーソ開閉弁１３により出口１１１が閉鎖された第１筒１１から、第１湯管１４を経て、金具３０の給湯通路３１及び接続口３１１から戻湯配管（図示しない）を介して循環風呂釜装置（図示しない）に流入し循環することになる。
【産業上の利用可能性】
【００１１】
本発明品は、構造簡単で、安価に製造できる。
【符号の説明】
【００１２】
１０、１０Ｂ        湯口
１１        第１筒
１１０      第１流通口
１１１      第１筒出口  
１２        第２筒
１２０      第２流通口
１２１      第２筒出口  
１３（１）、１３（２）    開閉弁
１３        シーソ開閉弁
１４０、１４０（１）、１４０（２）      シート逆止弁
１４        第１湯管
１５        第２湯管
２０        フランジ付き雄ねじ筒
２５        内筒
３０        給湯通路及び戻湯通路の金具
３１        給湯通路
３１１      接続口
３２        戻湯通路
３２１      接続口
４０        金網ストレーナ
【図１】
2012057825.tif 000003
【図２】
2012057825.tif 000004
【図３】
2012057825.tif 000005
【図４−１】
2012057825.tif 000006
【図４−２】
2012057825.tif 000007
【図５】
2012057825.tif 000008
【図６】
2012057825.tif 000009
【図７】
2012057825.tif 000010
【図８】
2012057825.tif 000011
【図９】
2012057825.tif 000012
【図１０】
2012057825.tif 000013
【図１１】
2012057825.tif 000014
【図１２】
2012057825.tif 000015